(57)【要約】      （修正有）【課題】揺動するときに生じる音を減少可能なパワー・スイッチ・プロテクターを提供する。【解決手段】内側へ凹んでなる格納空間１３と、格納空間１３に設けられる装着部１４と、座体１０の側面に設けられて格納空間１３と連通する二つの枢動穴と、格納空間１３に設けられて選択可能に変形・湾曲する金属片２０と、外壁面に設けられて枢動穴に枢設される二つの枢動部３３と内壁面３２に形成されるリミットバンプ３４とを含むスイッチボタンと、スイッチボタンと金属片２０を接続するフック片と、装着部１４に設けられてリミットバンプ３４に当接する弾性部材５０と、を含む。弾性部材５０がリミットバンプ３４に当接することでスイッチボタンの該座体に対する動揺の確率を減少する。【選択図】図４
0003201244.tif 000002
【実用新案登録請求の範囲】
【請求項１】
内側に凹んで頂面に形成される格納空間と、この格納空間に設けられる装着部と、側面にそれぞれ設けられて該格納空間に連通して対向設置される二つの枢動穴を含む座体と、
上記格納空間に装着され、選択可能に変形を生じて湾曲する金属片と、
横方向に延伸して該スイッチボタンの外壁面に成型されて対向設置される二つの枢動部、及びこれらの枢動部によりこれらの枢動穴に枢設されることで該座体に装着されるスイッチボタンの内壁面に形成されるリミットバンプを含むスイッチボタンと、
両端にそれぞれ上記スイッチボタンと上記金属片が接続されているフック片と、
上記装着部に装着され該スイッチボタンのリミットバンプに当接する弾性部材とを含むパワー・スイッチ・プロテクター。
【請求項２】
上記フック片の一端が上記スイッチボタンの内壁面に接続され、上記フック片の他端にはフック口が設けられ、上記フック口が上記金属片に引っかかる請求項１に記載のパワー・スイッチ・プロテクター。
【請求項３】
上記内壁面がさらに延伸して係合ブロックを成型し、上記フック片のこの端が該内壁面の係合ブロックに接続される請求項２に記載のパワー・スイッチ・プロテクター。
【請求項４】
上記弾性部材がワイヤースプリングである請求項１〜３のいずれか１項に記載のパワー・スイッチ・プロテクター。
【考案の詳細な説明】
【技術分野】
【０００１】
本考案はパワー・スイッチ・プロテクターに関わり、特に、揺動するときに生じる音を減少可能なパワー・スイッチ・プロテクターに関わる。
【背景技術】
【０００２】
コンセント或いは電気設備には一般的にはパワー・スイッチ・プロテクターである遮断器が設けられ、パワー・スイッチ・プロテクターは異常電流が現れる際に、自動的に電源を遮断することで、過負荷電流或いは短絡等の異常電流による電気設備の損壊を防ぐことができる。
【０００３】
図１０に示すように、既存のパワー・スイッチ・プロテクター９０は、座体９１と、金属片９２と、スイッチボタン９３と、フック片９４と、電極端子９５とを含み、該座体９１は格納空間９１１と上開口９１２と二つの側穴９１３を含み、該格納空間は内側に凹んで該座体９１の頂面に成型して上開口９１２を形成し、これらの側穴９１３は該座体９１３の側壁に貫設され、該格納空間９１１に連通し、一方の穴９１３の開口は他方穴９１３の開口に対向し、該金属片９２は両端を備え、その一端が横方向に該座体９１に装着され、該格納空間９１１に位置し、該電極端子９５の設けられた他端が選択可能に変形・湾曲を生じる。該スイッチボタン９３は二つの枢動部９３１を備え、これらの枢動部９３１は横方向に延伸して該スイッチボタン９３の外壁に成型され、該スイッチボタン９３はこれらの枢動部９３１によりこれらの側穴９１３に枢接されて該座体９１の上開口９１２に装着され、これらの枢動部９３１の寸法はこれらの側穴９１３の開口の寸法より小さく、該フック片９４は該スイッチボタン９３の一側に設けられ、フック口９４１を備え、該フック口９４１は内側に凹んで該フック片９４の底端に形成され、該金属片９２の他端に引っかかり、該電極端子９５は選択可能に電気設備（図示せず）に電気的に接続されている。
【０００４】
該既存のパワー・スイッチ・プロテクター９０について、電気設備が正常に運転する場合、該スイッチボタン９３がオンになる際に、該金属片９２が水平になり、該電極端子９５が電気設備（図示せず）に電気的に接続され、該既存のパワー・スイッチ・プロテクター９０は「閉」状態を保持するが、既存のパワー・スイッチ・プロテクター９０は異常電流の状況に合う場合、異常電流が金属片９２の温度を上昇させ、金属片９２の他端の湾曲・変形をもたらすと共に、該電極端子９５が電気設備（図示せす）に電気的に接続されておらず、該既存のパワー・スイッチ・プロテクター９０は「開」状態になり、該スイッチボタン９３がオフ状態になることで、異常電流の発生による電気設備の損壊を避ける。異常電流の発生原因を排除した後で、該スイッチボタン９３を押すことで、オン状態に転換し、該フック片９４の連動により該金属片９２の他端を水平に回復させ、該電極端子９５と電気設備（図示せず）を新たに電気的に接続させ、既存のパワー・スイッチ・プロテクター９０に「閉」状態に回復させる。
【０００５】
既存のパワー・スイッチ・プロテクター９０の動作原理の鍵は金属片９２の変形により「閉」または「開」の状態になるが、該金属片９２の変形による作用力に限りがあり、これらの枢動部９３１の寸法はこれらの側穴９１３の開口の寸法より略小さいだけである場合、該金属片９２の変形による作用力は該スイッチボタン９３の枢動を駆動させるに足りなく、該既存のパワー・スイッチ・プロテクター９０は電気製品に対する保護作用を失う。従って、図１１に示すように、既存のパワー・スイッチ・プロテクター９０におけるスイッチボタン９３の枢動部９３１の寸法はこれらの側穴９１３の開口の寸法より小さく、スイッチボタン９３ががたついて座体９１に枢接することを確保し、該金属片９２の変形は該スイッチボタン９３の枢動を駆動するに足りる。
【０００６】
しかし、該スイッチボタン９３は該座体９１に対して相対的にがたついているので、該既存のパワー・スイッチ・プロテクター９０の携行中に、揺動によりこれらの枢動部９３１はこれらの側穴９１３にぶつかり、音を生じて、使用者が該既存のパワー・スイッチ・プロテクター９０に故障又は損壊が生じたと誤解する恐れがあり、このようなパワー・スイッチ・プロテクター９０を購買する意欲が抑制される。
【考案の概要】
【考案が解決しようとする課題】
【０００７】
本考案は使用者がパワー・スイッチ・プロテクターに故障又は欠点があると誤解しないように揺動による音を減少することができ、パワー・スイッチ・プロテクターの品質及び質感を向上させることを目的とする。
【課題を解決するための手段】
【０００８】
本考案において、
座体、金属片、スイッチボタン及び弾性片を備え、
上記座体は、格納空間、装着部及び二つの枢動孔を備え、この格納空間は、座体の頂面に内側に凹んで形成され、上記装着部は、この格納空間内に設けられ、上記枢動孔が、上記座体の側面にそれぞれ設けられて該格納空間に連通して対向設置されており、
上記金属片は、上記格納空間に装着され、選択可能に変形を生じ、
上記スイッチボタンは、二つの枢動部及びリミットバンプ（ｂｕｍｐ）を有し、この枢動部は、該スイッチボタンの外壁面に成型され横方向に延伸し、対向設置され、当該枢動部が上記枢動穴に枢設されることで当該スイッチボタンが座体に装着され、上記リミットバンプが、当該スイッチボタンの内壁面に形成され、
上記フック片は、両端にそれぞれ該スイッチボタンと該金属片が接続され、
上記弾性部材は、上記装着部に装着され、上記スイッチボタンのリミットバンプに当接しているパワー・スイッチ・プロテクターを提供する。
【０００９】
本考案において、該弾性部材が該スイッチボタンのリミットバンプに持続的に当接することで該スイッチボタンの該座体に対する揺動の確率を低下するので、該パワー・スイッチ・プロテクターによる音を低減することができ、これにより使用者がパワー・スイッチ・プロテクターに故障又は欠点或いは損壊があると誤解してしまうおそれを避けることができ、当該パワー・スイッチ・プロテクターのより高い品質及び質感を使用者に対して与えることができる。
【００１０】
好適には、該フック片の一端が該スイッチボタンの内壁面に接続され、該フック片の他端にはフック口が設けられ、該フック口が該金属片に引っかかる。
【００１１】
好適には、該内壁面がさらに延伸して係合ブロックを成型し、該フック片のこの端が該内壁面の係合ブロックに接続される。
【００１２】
好適には、該弾性部材がワイヤースプリングであることは好ましい。
【図面の簡単な説明】
【００１３】
【図１】本考案のパワー・スイッチ・プロテクターの分解図。
【図２】本考案のパワー・スイッチ・プロテクターのスイッチボタンとフック片の下面図。
【図３】本考案のパワー・スイッチ・プロテクターの上面図。
【図４】本考案のパワー・スイッチ・プロテクターのスイッチボタンがオン状態になる際の断面図。
【図５】本考案のパワー・スイッチ・プロテクターのスイッチボタンがオン状態になる際の又１つの断面図。
【図６】本考案のパワー・スイッチ・プロテクターのスイッチボタンがオン状態になる際の側面図。
【図７】本考案のパワー・スイッチ・プロテクターのスイッチボタンがオフ状態になる際の断面図。
【図８】本考案のパワー・スイッチ・プロテクターのスイッチボタンがオフ状態になる際の又１つの断面図。
【図９】本考案のパワー・スイッチ・プロテクターのスイッチボタンがオフ状態になる際の側面図。
【図１０】既存のパワー・スイッチ・プロテクターの分解図。
【図１１】既存のパワー・スイッチ・プロテクターの側面図。
【考案を実施するための形態】
【００１４】
図１〜図３及び図５に示すように、本考案は座体１０、金属片２０、スイッチボタン３０、フック片４０、弾性部材５０と電極端子６０を含むパワー・スイッチ・プロテクター１を提供する。
【００１５】
図１、図５に示すように、該座体１０は頂面１１、二つの側面１２、格納空間１３、装着部１４、二つの枢動穴１５と電気的接続部１６を含み、該頂面１１の両側がそれぞれこれらの側面１２に接続され、該格納空間１３が内側に凹んで該頂面１１に形成し、該装着部１４が該格納空間１３に設けられ、これらの枢動穴１５がそれぞれこれらの側面１２に設けられ、該格納空間１３に連通し、その一つの枢動穴１５の開口がもう１つの枢動穴１５の開口に対向し、これらの枢動穴１５の位置が該装着部１４の位置より高く、該電気的接続部１６が該格納空間１３に設けられ、電気設備（図示せず）に電気的に接続される。
【００１６】
図３〜図５を結び付けて、該金属片２０は該格納空間１３に設けられ、該金属片２０は両端を備え、その一端は該座体１０に設けられ、該金属片２０は選択的に変形を生じて湾曲することができる。
【００１７】
図１〜図４を結びつけて、該スイッチボタン３０は対向する外壁面３１及び内壁面３２と二つの枢動部３３とリミットバンプ（ｂｕｍｐ，ラグ）３４とを含み、該内壁面３２は延伸して係合ブロック３２１を成型し、これらの枢動部３３はそれぞれ横方向に延伸してこれらの外壁面３１に成型して対向設置され、該スイッチボタン３０はこれらの枢動部３３によりこれらの枢動穴１５に枢設され、該スイッチボタン３０は選択可能にこれらの枢動部３３を軸心として該座体１０に対して枢動し、該リミットバンプ３４は該内壁面３２に形成され、該リミットバンプ３４の位置はこれらの枢動部３３の間に位置する。
【００１８】
図２、図４及び図５に示すように、該フック片４０は該格納空間１３に位置し両端を含み、該フック片４０の一端が該内壁面３２に接続され、該フック片４０の他端が該金属片２０に接続され、具体的に、該フック片４０の一端が該内壁面３２の係合ブロック３２１に接続され、該フック片４０の他端にフック口４１が設けられ、該フック口４１が該金属片２０の他端に引っかかり、該フック片４０により該スイッチボタン３０が該金属片２０と連動する。
【００１９】
該弾性部材５０は該装着部１４に装着され、該スイッチボタン３０のリミットバンプ３４に持続的に当接し、具体的に、該弾性部材５０はワイヤースプリング（ｗｉｒｅ  ｓｐｒｉｎｇ）である。
【００２０】
図３及び図５を結び付けて、該電極端子６０が該金属片２０の他端に装着され、選択可能に該電気的接続部１６に電気的に接続される。
【００２１】
図４〜図６を結びつけて、電気設備（図示せず）は正常に運転する際に、該スイッチボタン３０がオン状態になる際に、該金属片２０は水平になり、該電極端子６０は該電気的接続部１６に接続して電気的に接続し、該パワー・スイッチ・プロテクター１が「閉」状態になり、該弾性部材５０は該リミットバンプ３４に当接することで、該スイッチボタン３０には上向きの作用力が生じて、該スイッチボタン３０の枢動部３３は前記上向きの作用力によりこれらの枢動穴１５の上縁に当接することができ、該スイッチボタン３０の該座体１０に対する揺動の確率を減少することができる。
【００２２】
図７〜図９に示すように、該パワー・スイッチ・プロテクター１は過負荷電流または短絡等の異常電流の状況に合う際に、該金属片２０は異常電流により該金属片２０の温度を上昇させることで該金属片２０が湾曲・変形する。この場合、該電極端子６０は該電気的接続部１６に互いに接触せず電気的に接続されておらず、該パワー・スイッチ・プロテクター１は「開」状態になるが、該金属片２０は熱で湾曲・変形し、さらに該スイッチボタン３０がこれらの枢動部３３を軸心として該座体１０に対して枢動するように駆動し、該スイッチボタン３０はオン状態になり、該弾性部材５０は前記スイッチボタン３０の枢動中に依然として該リミットバンプ３４に持続的に当接することで、該スイッチボタン３０の該座体１０に対する揺動の確率を減少することができる。
【００２３】
本考案において、該弾性部材５０が持続的に上へ該スイッチボタン３０のリミットバンプ３４に当接することで、該スイッチボタン３０に上向きの作用力が生じて、該スイッチボタン３０の枢動部３３は該座体１０の枢動穴１５の上縁に持続的に当接することができ、該スイッチボタン３０の該座体１０に対する揺動の確率を低減するとともに、揺動による音を低減し、使用者がパワー・スイッチ・プロテクター１に故障または損害があると誤解するおそれを避け、当該パワー・スイッチ・プロテクターのより高い品質及び質感を使用者に対して与えることができる。
【００２４】
上記内容は本考案を説明するための例であり、本考案を形式上でいかなる制限をするものではなく、本考案の主張する権利範囲は特許出願の範囲に準じるものとし、上記の実施例に限られるわけではない。いかなる所属技術分野に通常の知識を持つ方は本考案の技術分野を逸脱しない範囲内に、上記に記載の技術分野の内容を利用して、等価の実施例になるようにいくつかの変更または同等変化の修飾をすることができるが、本考案の技術案を逸脱しない内容、本考案の技術分野の要旨に基づき上記実施例に対して行ったいかなる簡単な補正、同等の変化及び補正について、いずれも本考案の技術案の範囲内に該当する。
【符号の説明】
【００２５】
１  パワー・スイッチ・プロテクター
１０  座体
１１  頂面
１２  側面
１３  格納空間
１４  装着部
１５  枢動穴
１６  電気的接続部
２０  金属片
３０  スイッチボタン
３１  外壁面
３２  内壁面
３２１  係合ブロック
３３  枢動部
３４  リミットバンプ    
４０  フック片
４１  フック口
５０  弾性部材
６０  電極端子
９０  既存のパワー・スイッチ・プロテクター
９１  座体
９１１  格納空間
９１２  上開口
９１３  側穴
９２  金属片
９３  スイッチボタン
９３１  枢動部
９４  フック片
９４１  フック口
９５  電極端子
【図１】
0003201244.tif 000003
【図２】
0003201244.tif 000004
【図３】
0003201244.tif 000005
【図４】
0003201244.tif 000006
【図５】
0003201244.tif 000007
【図６】
0003201244.tif 000008
【図７】
0003201244.tif 000009
【図８】
0003201244.tif 000010
【図９】
0003201244.tif 000011
【図１０】
0003201244.tif 000012
【図１１】
0003201244.tif 000013